(57)【要約】【課題】電装品カバーをブラケットに取り付ける際、ブラケットの先端部にバリが生じたりブラケットが変形している時にブラケットの先端部のエッジで電装品カバーの係止爪を削り、電装品カバーが挿入できないことがあった。【解決手段】ガラスターミナルと電装品を覆う電装品カバーと電装品カバーを保持するブラケット１２０とを備え、ブラケット１２０は係止孔を有する係止部１４０の先端部に傾斜面１４８を備え、電装品カバーはテーパ部を有する係止爪を備えたものでブラケット１２０の先端部が電装品カバーの係止爪を削ることなく、電装品カバーの弾性力により係止爪を設けた壁面がブラケット１２０の係止部１４０の先端部の傾斜面１４８に沿って拡張され、電装品カバー１５０の係止爪が確実にブラケット１２０の係止孔に装着される。【選択図】図２
2010242586.tif 000002
【特許請求の範囲】
【請求項１】
圧縮機本体に備えたガラスターミナルを囲むように固定されたブラケットと、電装品を覆って前記ブラケットに挿入されて固定される電装品カバーとを備えた電装品カバー固定装置であって、前記ブラケットは前記電装品カバー側に突出し係止孔を有する係止部を備え、前記電装品カバーは前記係止孔に対向する位置にテーパ部を有する係止爪を備え、前記係止孔と前記係止爪とを係合させるよう前記電装品カバーの前記係止爪を前記ブラケットに挿入する際に、前記係止部の先端部と前記係止爪の前記テーパ部との摺動抵抗を低減するよう、前記係止部の前記先端部の前記テーパ部に当接する位置に傾斜面を設けた電装品カバー固定装置。
【請求項２】
傾斜面は、挿入方向に対して１０ｄｅｇから６０ｄｅｇの範囲で傾斜している請求項１に記載の電装品カバー固定装置。
【請求項３】
電装品カバーは、樹脂からなり、曲げ弾性率が２０００Ｍｐａから３０００Ｍｐａの範囲である請求項１または２に記載の電装品カバー固定装置。
【請求項４】
電装品カバーは、ポリカーボネードまたはＰＢＴで形成されている請求項３に記載の電装品カバー固定装置。
【請求項５】
ブラケットは、厚さが２ｍｍ以下の鉄板で形成された請求項１から４のいずれか一項に記載の電装品カバー固定装置。
【請求項６】
請求項１から５のいずれか一項に記載の電装品カバー固定装置を用いた密閉型圧縮機。
【発明の詳細な説明】
【技術分野】
【０００１】
本発明は、主に家庭用冷蔵庫等に用いられる圧縮機の電装品カバーの固定装置に関するものである。
【背景技術】
【０００２】
従来、圧縮機の電装品カバー固定装置はワンタッチ挿入の作業にて固定できるものがある（例えば特許文献１参照）。
【０００３】
以下、図面を参照しながら上記従来の圧縮機の電装品カバー固定装置を説明する。
【０００４】
図５は従来の圧縮機の電装品カバー固定装置の分解斜視図、図６は従来の圧縮機の電装品カバー固定装置の取り付け直前の断面図である。
【０００５】
図５および図６において、電動圧縮要素（図示せず）を収納した圧縮機本体１には、上記電動圧縮要素に電気を供給するガラスターミナル３が固着されている。ガラスターミナル３には上記電動圧縮要素を保護または始動させる電装品９ａ、９ｂが接続される。
【０００６】
冷間圧延鋼板や熱間圧延鋼板などの鉄板の折曲成形によって形成されたブラケット４がガラスターミナル３を囲むように圧縮機本体１に固着され、ブラケット４には電装品９ａ，９ｂをカバーするカバー５が係着される。ブラケット４はガラスターミナル３を挟んで対向する折曲形成された左右２辺に係止孔４５を有している。
【０００７】
カバー５０はガラスターミナル３および電装品９ａ，９ｂを外部からの衝撃より保護し、水などの浸入を防止するために、ブラケット４に係止されるもので、合成樹脂材料のＰＰＥ（ポリフェニレンエーテル）、ＰＣ（ポリカーボネート）、ＰＰ（ポリプロピレン）、またはＰＢＴ（ポリブチレンテレフタレート）とＡＢＳ（アクリロニトリル・ブタジエン・スチレン）の混合材などにより射出成形され、ブラケット４に設けた係止孔４５に対応する位置の内壁面には、係止孔４５に係合するテーパ状の係止爪５７を形成している。
【０００８】
以上のように構成された圧縮機の電装品カバー固定装置について、以下に組立手順と動作を説明する。
【０００９】
まず、ガラスターミナル３に電装品９ａ，９ｂが挿入固定される。この電装品９ａ，９ｂを覆うためのカバー５０をブラケット４に挿入する際に、テーパ状の係止爪５７が係止孔４５を設けたブラケット４の左右２つの先端部４２に当たると、カバー５０の左右２つの壁面がブラケット４の左右２つの先端部４２に対して外側へ歪み、テーパ状の係止爪５７がブラケット４の係止孔４５に係止され、カバー５０はワンタッチでブラケット４に固定される。
【特許文献１】特開平２−３３４７８号公報
【発明の開示】
【発明が解決しようとする課題】
【００１０】
しかしながら、上記従来の構成では、ブラケット４の係止孔４５を設けた左右２つの先端部４２にバリなどがある場合やブラケット４の変形によりブラケット４の左右２つの先端部４２とカバー５０の左右２つの壁面とのクリアランスが小さくなった場合に、カバー５０をブラケット４に挿入する際に、カバー５０のテーパ状の係止爪５７がブラケット４の左右２つの先端部４２に当たって、カバー５０の左右２つの壁面がブラケット４の左右
２つの先端部４２に対して外側へ歪まず、カバー５０のテーパ状の係止爪５７が、ブラケット４の左右２つの先端部４２に削られカバー５０が取り付けできない可能性があった。
【００１１】
また、カバー５０のテーパ状の係止爪５７が、削り取られ、カバー５０が容易に外れる状態となり、水や誇りが容易に浸入してしまう可能性があった。
【００１２】
本発明は、上記従来の課題を解決するもので、ブラケットの先端部が電装品カバーの突起部を削ることを防止し、電装品カバーの挿入性を向上し、作業性が良く安全で信頼性の高い圧縮機の電装品カバー固定装置を提供することを目的とする。
【課題を解決するための手段】
【００１３】
上記従来の課題を解決するために本発明の圧縮機の電装品カバー固定装置は、ブラケットに設けられた係止孔と電装品カバーに設けられたテーパ状の係止爪とを係合させるよう電装品カバーの係止爪をブラケットに挿入する際に、係止部の先端部と係止爪のテーパ部との摺動抵抗を低減するよう、ブラケットの係止部の先端部のテーパ部に当接する位置に傾斜面を設けたもので、ブラケットの先端部にバリなどがある場合やブラケットの変形によりブラケットの先端部とカバーの壁面とのクリアランスが小さくなった場合にも確実に電装品カバーをブラケットに装着することができるという作用を有する。
【発明の効果】
【００１４】
本発明の圧縮機の電装品カバー固定装置は、ブラケットの先端部にバリなどがある場合やブラケットの変形によりブラケットの先端部とカバーの壁面とのクリアランスが小さくなった場合にも、電装品カバーを確実にブラケットに装着することができるので、作業性が良く安全なで信頼性の高い圧縮機の電装品カバー固定装置を提供することができる。
【発明を実施するための最良の形態】
【００１５】
請求項１に記載の発明は、圧縮機本体に備えたガラスターミナルを囲むように固定されたブラケットと、電装品を覆って前記ブラケットに挿入されて固定される電装品カバーとを備えた電装品カバー固定装置であって、前記ブラケットは前記電装品カバー側に突出し係止孔を有する係止部を備え、前記電装品カバーは前記係止孔に対向する位置にテーパ部を有する係止爪を備え、前記係止孔と前記係止爪とを係合させるよう前記電装品カバーの前記係止爪を前記ブラケットに挿入する際に、前記係止部の先端部と前記係止爪の前記テーパ部との摺動抵抗を低減するよう、前記係止部の先端部の前記テーパ部に当接する位置に傾斜面を設けたもので、ブラケットの先端部にバリなどがある場合やブラケットの変形によりブラケットの先端部とカバーの壁面とのクリアランスが小さくなった場合にも、ブラケットの係止部の先端部が電装品カバーの係止爪を削ることなく、電装品カバーの弾性力により係止爪を設けた壁面がブラケットの係止部の先端部の傾斜面に沿って拡張され、電装品カバーの係止爪が確実にブラケットの係止孔に装着されるため、作業性が良く安全で信頼性の高い圧縮機の電装品カバー固定装置を提供することができる。
【００１６】
請求項２に記載の発明は、請求項１に記載の発明において、傾斜面は、挿入方向に対して１０ｄｅｇから６０ｄｅｇの範囲で傾斜しているもので、ブラケットの先端部にバリなどがある場合やブラケットの変形によりブラケットの先端部と電装品カバーの壁面とのクリアランスが小さくなった場合にも、ブラケットの係止部の先端部が電装品カバーの係止爪を削ることがなく、電装品カバーの弾性力により係止爪を設けた壁面がブラケットの係止部の先端部の傾斜面に沿って拡張され、電装品カバーが確実にブラケットに装着されるため、請求項１に記載の発明の効果に加えて、さらに作業性が良く安全で信頼性の高い圧縮機の電装品カバー固定装置を提供することができる。
【００１７】
請求項３に記載の発明は、請求項１または２に記載の発明において、電装品カバーは、
樹脂からなり、曲げ弾性率が２０００Ｍｐａから３０００Ｍｐａの範囲であるもので、電装品カバーが硬くても、ブラケットの係止部の先端部が電装品カバーの係止爪を削ることがなく、電装品カバーの係止爪を設けた壁面がブラケットの係止部の先端部の傾斜面に沿って拡張され、電装品カバーが確実にブラケットに装着されるため、請求項１または２に記載の発明の効果に加えて、さらに作業性がよく安全で信頼性の高い圧縮機の電装品カバー固定装置を提供することができる。
【００１８】
請求項４に記載の発明は、請求項３に記載の発明において、電装品カバーは、ポリカーボネードまたはＰＢＴで形成されているもので、難燃性材料を使用した電装品カバーであっても、ブラケットの係止部の先端部が電装品カバーの係止爪を削ることがなく、係止爪を設けた壁面がブラケットの係止部の先端部の傾斜面に沿って拡張され、電装品カバーが確実にブラケットに装着されるため、請求項３に記載の発明の効果に加えて、さらに安全な圧縮機の電装品カバー固定装置を提供することができる。
【００１９】
請求項５に記載の発明は、請求項１から４のいずれか一項に記載の発明において、ブラケットは、厚さが２ｍｍ以下の鉄板で形成されたもので、ブラケットが外力において変形しやすい材料であってもブラケットの係止部の先端部が電装品カバーの係止爪を削ることなく、電装品カバーの弾性力により係止爪を設けた壁面がブラケットの係止部の先端部の傾斜面に沿って拡張され、電装品カバーが確実にブラケットに装着されるため、請求項１から４のいずれか一項に記載の発明の効果に加えて、安価で信頼性の高い圧縮機の電装品カバー固定装置を提供することができる。
【００２０】
請求項６に記載の発明は、請求項１から５のいずれか一項に記載の電装品カバー固定装置を用いることで作業性が良く、信頼性の高い密閉型圧縮機を提供することができる。
【００２１】
以下、本発明の実施の形態について、図面を参照しながら説明する。なお、この実施の形態によってこの発明が限定されるものではない。
【００２２】
（実施の形態１）
図１は、本発明の実施の形態１における電装品カバー固定装置の分解の斜視図であり、図２は同実施の形態におけるブラケットの斜視図、図３は同実施の形態における電装品カバーの斜視図である。図４は同実施の形態における取り付け直前の電装品カバー固定装置の横断面図である。
【００２３】
図１から図４において、電動圧縮要素（図示せず）を収納した圧縮機本体１０１には、電動圧縮要素に電機を供給するガラスターミナル１０３が取り付けられている。ガラスターミナル１０３には電動圧縮要素に通電させる電装品１９０が接続されている。
【００２４】
冷間圧延鋼板や熱間圧延鋼板などの厚さが２ｍｍ以下の鉄板の折曲成形によって形成されたブラケット１２０がガラスターミナル１０３を囲むように圧縮機本体１０１に固着され、ブラケット１２０には電装品１９０を覆うように電装品カバー１５０が固定される。
【００２５】
電装品カバー１５０内には過負荷保護装置１７２が収納されており、電装品１９０と過負荷保護装置１７２にはそれぞれ電源コード１８０，１８２が取り付けられており外部電源（図示せず）に接続される。
【００２６】
ブラケット１２０は上側には挿入部１３０が折曲形成され、下側にはガラスターミナル１０３を挟んで対向する位置に係止部１４０が折曲成形によって形成される。挿入部１３０は突出代の大きい一対の突出部１３５ａが両側に形成され、その間に突出代の小さい突出部１３５ｂが同一平面上に形成されている。係止部１４０にはプレスの打ち抜きにより
加工された係止孔１４５を設けている。
【００２７】
係止部１４０の突出代は、突出代の大きい突出部１３５ａの突出代より小さく、また突出代の小さい突出部１３５ｂより大きくしてある。また、係止部１４０は突出代の小さい突出部１３５ｂとガラスターミナル１０３を挟んで対向する位置に形成されるとともに、突出代の小さい突出部１３５ｂの幅より狭くしてある。
【００２８】
また、係止部１４０の先端部１４２にはプレス加工などにより挿入方向に対して１０ｄｅｇから６０ｄｅｇの範囲の傾斜面１４８が係止孔１４５の幅以上の範囲で設けられている。
【００２９】
電装品カバー１５０はポリカーボネードまたはＰＢＴなど比較的硬い合成樹脂材料により射出成形され、内壁面上部には、ブラケット１２０の突出代の大きい一対の突出部１３５ａにそれぞれ対応する位置に、略Ｕ字形状をなす一対の挟持部１６０ａを設けており、また挟持部１６０ａの間には同じくブラケット１２０の突出代の小さい突出部１３５ｂに対応する位置に、略Ｕ字形状をなす一対の挟持部１６０ｂを設けている。
【００３０】
電装品カバー１５０の内壁面下部の、ブラケット１２０の係止孔１４５に対応する位置には、係止孔１４５に係止するテーパ部１７５を有する係止爪１７０を形成している。
【００３１】
以上のように構成された圧縮機の電装品カバー固定装置について、以下に組立手順と動作を説明する。
【００３２】
まずガラスターミナル１０３に電装品１９０を挿入固定し、電装品カバー１５０に過負荷保護装置１７２を挿入した後、電装品カバー１５０をブラケット１２０に挿入する。
【００３３】
この際、まず、電装品カバー１５０に設けた略Ｕ字形状の複数の挟持部１６０ａが、ブラケット１２０に設けた挿入方向に対し突出代の異なる複数の突起部１３５ａを各々挟み込む。
【００３４】
そして、挟持部１６０ａが挿入部１３０に対して水平移動しながら挿入されていき、挿入部１３０に対向形成された係止部１４０に電装品カバー１５０のテーパ部１７５を有する係止爪１７０が当たると、電装品カバー１５０の係止爪１７０を設けている壁面が、係止部１４０に対して外側へ歪み、さらに挿入されることで挟持部１６０ｂが突起部１３５ｂを挟み込み、テーパ部１７５を有する係止爪１７０がブラケット１２０の係止孔１４５に係止される。
【００３５】
ここで、ブラケット１２０は冷間圧延鋼板や熱間圧延鋼板などの鉄板の折曲成形から成っており、圧縮機本体の製造工程や輸送などにより変形が生じやすい。
【００３６】
さらにはブラケット１２０の先端部１４２には打ち抜き方向によりバリが生じやすい。
【００３７】
以上の理由により、ブラケット１２０の係止部１４０の先端部１４２にバリなどがある場合やブラケット１２０の変形によりブラケット１２０の係止部１４０の先端部１４２と電装品カバー１５０の下部内壁面とのクリアランスが小さくなった場合に、電装品カバー１５０の下部内壁面がブラケット１２０の係止部１４０の先端部１４２に対して思うように外側へ歪まない。
【００３８】
そのため、電装品カバー１５０の下部内壁面に設けられたテーパ部１７５を有する係止爪１７０がブラケット１２０の係止部１４０の先端部１４２に削られ、電装品カバー１５
０が取り付けできない可能性がある。
【００３９】
本実施の形態においてはブラケット１２０の係止部１４０の先端部１４２に、挿入方向に対して１０ｄｅｇから６０ｄｅｇの範囲の傾斜面１４８を設けているので、電装品カバー１５０に設けられた係止爪１７０のテーパ部１７５との摺動抵抗を低減することができる。
【００４０】
したがって、ブラケット１２０の係止部１４０の先端部１４２で電装品カバー１５０の下部内壁面に設けられた係止爪１７０のテーパ部１７５を削ることなく、電装品カバー１５０の係止爪１７０を設けた壁面がブラケット１２０の係止部１４０の先端部１４２の傾斜面１４８に沿って拡張され、電装品カバー１５０の弾性力によってブラケット１２０への挿入が容易になり、確実にブラケット１２０の係止孔１４５に電装品カバー１５０の係止爪１７０を係止することができる。
【００４１】
また、本実施の形態においては、電装品カバー１５０の材料にポリカーボネードまたはＰＢＴなど比較的硬い材料で形成されているが、ブラケット１２０の係止部１４０の先端部１４２に傾斜面１４８を設けているので、電装品カバー１５０が硬くても、電装品カバー１５０の係止爪１７０を設けた壁面がブラケット１２０の係止部１４０の先端部１４２の傾斜面１４８に沿って拡張され、ブラケット１２０への挿入が容易になり、確実にブラケット１２０の係止孔１４５に電装品カバー１５０の係止爪１７０を係止することができる。
【００４２】
また、本実施の形態におけるブラケット１２０は厚さ２ｍｍ以下の金属材料の鉄板から形成されているのでより変形しやすいが、ブラケット１２０の係止部１４０の先端部１４２に傾斜面１４８を設けているので、電装品カバー１５０の係止爪１７０を設けた壁面がブラケット１２０の係止部１４０の先端部１４２の傾斜面１４８に沿って拡張され、ブラケット１２０への挿入が容易になり、確実にブラケット１２０の係止孔１４５に電装品カバー１５０の係止爪１７０を係止することができる。
【００４３】
そのため、作業性がよく信頼性の高い圧縮機の電装品カバーを提供することができる。
【００４４】
また、本実施の形態の電装品カバー固定装置を用いた密閉型圧縮機は、電装品カバー１５０がブラケット１２０に確実に固定されるので信頼性が高いことは言うまでもない。
【産業上の利用可能性】
【００４５】
以上のように、本発明にかかる圧縮機の電装品カバー固定装置は、作業性がよく信頼性の高いものとできるので、エアーコンディショナー、冷凍冷蔵装置等に用いられる圧縮機の電装品カバー固定装置にも適用できる。
【図面の簡単な説明】
【００４６】
【図１】本発明の実施の形態１における電装品カバー固定装置の分解斜視図
【図２】同実施の形態におけるブラケットの斜視図
【図３】同実施の形態における電装品カバーの斜視図
【図４】同実施の形態における取り付け直前の電装品カバー固定装置の横断面図
【図５】従来の圧縮機の電装品カバー固定装置の分解斜視図
【図６】従来の圧縮機の電装品カバー固定装置の取り付け直前の断面図
【符号の説明】
【００４７】
１０１  圧縮機本体
１０３  ガラスターミナル
１２０  ブラケット
１４０  係止部
１４２  先端部
１４５  係止孔
１４８  傾斜面
１５０  電装品カバー
１７０  係止爪
１７５  テーパ部
１９０  電装品
【図１】
2010242586.tif 000003
【図２】
2010242586.tif 000004
【図３】
2010242586.tif 000005
【図４】
2010242586.tif 000006
【図５】
2010242586.tif 000007
【図６】
2010242586.tif 000008